(57)【要約】【課題】カードの読み取り装置が無くても、価値物体が価値あるものとの直接的保証をなすことで、市場価値がある流通カードであるか否かが目視しただけで判別できる流通カードを提供する。【解決手段】地金の種類、地金の実際の重さ、地金中の貴金属の占める純度、地金の品質保証企業体の４種類の表示事項を少なくとも表示した貴金属地金２と、該貴金属地金２を覆うと共に表面から前記表示事項を目視可能なる合成樹脂体によりカード状をなすケース３とより構成されてなる。【選択図】図１
2017047596.tif 000002
【特許請求の範囲】
【請求項１】
貴金属地金の種類、該貴金属地金の実際の重さ、該貴金属地金中の貴金属の純度、該貴金属地金の品質保証企業体の４種類の表示事項を少なくとも表示した貴金属地金と、該貴金属地金を覆うと共に表面から前記表示事項を目視可能なる合成樹脂体によりカード状をなすケースとより構成されてなることを特徴とする流通カード。
【請求項２】
請求項１記載の流通カードであって、
前記表示事項は、前記貴金属地金に刻印、圧延、打ち抜きなど通常の手段では消去不可能な手段により表示してなることを特徴とする流通カード。
【請求項３】
請求項１又は請求項２記載の流通カードであって、
前記ケースが、横幅が８．５センチメートル、縦幅が５．４センチメートル、厚さが０．３乃至０．５センチメートルであることを特徴とする流通カード。
【請求項４】
請求項１乃至請求項３の何れか１項に記載の流通カードであって、
前記ケースの裏面が、貴金属地金の重さの違いを異なる色によって識別してなることを特徴とする流通カード。
【発明の詳細な説明】
【技術分野】
【０００１】
本発明は、貴金属地金等の価値物体を含む流通カードに関するものである。
【背景技術】
【０００２】
従来の流通カードとしては、貴金属地金等の価値物体にＩＣチップを付設し、このＩＣチップに、前記価値物体の発行事項に関するデータを登録するための発行データファイルと、前記価値物体の販売事項に関するデータを登録するための販売データファイルとを設け、カードデータの読み取り装置により前記データファイルを読み取るようにしたもの（特許文献１）が、従来技術として知られている。
【先行技術文献】
【特許文献】
【０００３】
【特許文献１】特開平７−２２５８２３号公報
【発明の概要】
【発明が解決しようとする課題】
【０００４】
しかしながら、かかる従来技術は、カードの読み取り装置によりＩＣチップに組み込まれたデータを読み込まれなければ、その流通カードが市場価値のあるものか否かが判明しないことになる。例えば、特許文献１には、貴金属地金を外部から直接目視できるとの記載があるが、目視できた貴金属地金が、価値無き物体の表面に金メッキ処理したまがい物であるおそれがあり、カードの読み取り装置と流通カードとがセットで無いと信用できず、流通に支障を来すおそれがある。また、ＩＣチップと価値物体との直接的な関係はなく、所謂価値物体とされるものを実際に市場価値あるものと保証しているものでは無い。
【０００５】
上記の課題を解決するために、本発明は、カードの読み取り装置が無くても、価値物体が価値あるものとの直接的保証をなすことで、市場価値がある流通カードであるか否かが目視しただけで判別できる流通カードを提供するものである。
【課題を解決するための手段】
【０００６】
上記の課題を解決するために、本願発明の請求項１記載の流通カードは、貴金属地金の種類、該貴金属地金の実際の重さ、該貴金属地金中の貴金属の純度、該貴金属地金の品質保証企業体の４種類の表示事項を少なくとも表示した貴金属地金と、該貴金属地金を覆うと共に表面から前記表示事項を目視可能なる合成樹脂体によりカード状をなすケースとより構成されてなることを特徴とする。
【０００７】
本願発明の請求項２記載の流通カードは、請求項１記載の前記表示事項は、前記貴金属地金に刻印、圧延、打ち抜きなど通常の手段では消去不可能な手段により表示してなることを特徴とする。
【０００８】
本願発明の請求項３記載の流通カードは、請求項１又は請求項２記載の前記ケースが、横幅が８．５センチメートル、縦幅が５．４センチメートル、厚さが０．３乃至０．５センチメートルであることを特徴とする。
【０００９】
本願発明の請求項４記載の流通カードは、請求項１乃至請求項３の何れか１項に記載の前記ケースの裏面が、貴金属地金の重さの違いを異なる色によって識別してなることを特徴とする。
【発明の効果】
【００１０】
請求項１記載の発明によれば、流通カードが、貴金属地金の種類、該貴金属地金の実際の重さ、該貴金属地金中の貴金属の純度、該貴金属地金の品質保証企業体の４種類の表示事項を少なくとも表示した貴金属地金と、該貴金属地金を覆うと共に表面から前記表示事項を目視可能なる合成樹脂体によりカード状をなすケースとより構成されてなるため、流通カードの読み取り装置が無くても、表示事項を目視できるので、市場価値がある流通カードであるか否かが目視しただけで判断できる。つまり、著しく流通性に優れる、という効果を奏する。また、ケースにより貴金属地金が保護されているので、該地金の変形、摩滅等を妨げることができる、という効果を奏する。
【００１１】
また、請求項２記載の発明によれば、前記表示事項は、前記貴金属地金に刻印、圧延、打ち抜きなど通常の手段では消去不可能な手段により表示してなるため、表示事項を勝手に消去したり、変更できないので、市場での信用性がより確保できる。
【００１２】
また、請求項３記載の発明によれば、前記ケースが、横幅が８．５センチメートル、縦幅が５．４センチメートル、厚さが０．３乃至０．５センチメートルであるため、一般的な銀行カードとほぼ同じ大きさであるので、一般的な銀行カードと併せて持ち運びが出来るし、財布のカード入れなどへの収納性に優れる、という効果を奏する。
【００１３】
更に、請求項４記載の発明によれば、前記ケースの裏面が、貴金属地金の重さの違いを異なる色によって識別してなるため、表示事項を見なくても、色で貴金属地金の重さを判別できるので、老人など比較的目の悪い人にも判別が簡易となって流通性が良いことになるし、外国人など非英語圏の人にも判別が簡易となって流通性が良い、という効果を奏する。
【図面の簡単な説明】
【００１４】
【図１】本願発明の実施例１に係る流通カードの正面図。
【図２】図１のＳＡ−ＳＡ線に沿った断面図。
【発明を実施するための形態】
【００１５】
以下、本願発明の実施の形態について、詳細に説明する。本発明において、流通カードの読み取り装置が無くても、価値物体が価値あるものとの直接的保証をなすことで、市場価値がある流通カードであるか否かが目視しただけで判別できる流通カードを提供するという目的を、以下の構成により実現した。すなわち、流通カードは、貴金属地金の種類、該貴金属地金の実際の重さ、該貴金属地金中の貴金属の純度、該貴金属地金の品質保証企業体の４種類の表示事項を少なくとも表示した貴金属地金と、該貴金属地金を覆うと共に表面から前記表示事項を目視可能なる合成樹脂体によりカード状をなすケースとより構成されてなる。以下、本願発明の実施例を図面に基づいて説明する。
【実施例１】
【００１６】
本願発明の実施例１に係る構造を、図１、図２を用いて説明する。この実施例１の流通カード１は、貴金属地金の種類、1グラムなどその地金の実際の重さ、貴金属地金中に置ける貴金属の占める純度、横浜金属など貴金属地金の品質を保証する企業体の４種類の表示事項を少なくとも表示した貴金属地金２と、該貴金属地金２を表裏側から覆うと共に貴金属地金２の表面２ａから前記表示事項を目視可能なるポリカーボネイトなどの合成樹脂体によりカード状をなすケース３とより構成されてなる。
【００１７】
前記貴金属地金２を、より詳細に説明する。種類としては、金、銀、プラチナ、パラジウムの何れかのことである。例えば、「金」地金であれば「ＧＯＬＤ」、「プラチナ」地金であれば、「ＰＬＡＴＩＮＵＭ」というように、英語の綴りで表記する。流通時の価値を決める重要な表示事項である。こうした貴金属地金２は、相場での変動があるものの、実際の重さで金額が定まるため、重量表示も重要表示事項である。重さ表示と言っても、貴金属地金２の実際の重さを個々に量って、例えば１．２５３グラムと表示するのではなく、例えば１グラムと表示する貴金属地金２は、１グラムになるように精錬している。このため、本発明における貴金属地金２は、０．１グラム、０．２グラム、０．３グラム、０．５グラム、１グラム、５グラムそして１０グラムの７種類である。次に、貴金属地金中における貴金属の占める純度であるが、精錬過程で不純物を可能な限り除去しているが、地金中における貴金属の占める割合を表示する。この純度表示により、信用度を更に高めるので、割合表示も重要表示事項である。貴金属地金が「金」或いは「銀」であれば、１０００分の９９９．９、貴金属地金が「プラチナ」或いは「パラジウム」であれば、１０００分の９９９．５の割合のことをいうのが一般的である。地金の品質保証企業体の表示は、例えば、一般社団法人日本金地金流通協会の正会員会社が発行した貴金属地金であるか、正会員会社では無い企業体が発行したものであるかを示すもので、信用度を更に高める尺度になる。信用度を高めると言うことは、流通性を高めることに直接的に結びつく。従って、企業体の表示も重要な表示事項である。
【００１８】
前記４種類の表示事項は、貴金属地金２に刻印、圧延、打ち抜きなど通常の手段では消去不可能な手段により表示してなる。
【００１９】
また、流通カード１のケース３は、横幅Ｌ１が８．５センチメートル、縦幅Ｈ１が５．４センチメートル、厚さが０．３乃至０．５センチメートルであるので、一般に流通している銀行カードと同じ横幅Ｌ１及び縦幅Ｈ１を有する大きさの平板状をなし、ポリカーボネイトなどの合成樹脂により形成されてなる。四隅は、丸く角取りされてなることで、財布などへの出し入れがスムーズとなる。ケース３は、表面３ａ側と、裏面３ｂ側との二分割で、貴金属地金２の収納可能な凹部３ｃ、３ｄとにより、貴金属地金２の収納可能な空間が形成されてなる。
【００２０】
流通カード１の貴金属地金２は、前記したように７種類用意しているが、「１グラム」と表示する貴金属地金２として、例えば「金」であれば、横幅Ｌ２が１５．５ミリメートル、縦幅Ｈ２が９ミリメートル、厚さが０．５ミリメートルである。１グラム以下は、厚さのみが薄くなることで、０．１グラム、０．２グラム、０．３グラム、０．５グラムになるように対応している。そして、「５グラム」と表示する貴金属地金２として、例えば「金」であれば、横幅Ｌ２が２１．５ミリメートル、縦幅Ｈ２が１２．５ミリメートル、厚さが１．１ミリメートルである。「１０グラム」と表示する貴金属地金２は、横幅Ｌ２が２５．５ミリメートル、縦幅Ｈ２が１５ミリメートル、厚さが１．４ミリメートルである。「１グラム」と表示する貴金属地金２として、例えば「プラチナ」であれば、横幅Ｌ２が１５．５ミリメートル、縦幅Ｈ２が９．２０ミリメートル、厚さが０．４８ミリメートルである。１グラム以下は、厚さのみが薄くなることで、０．１グラム、０．２グラム、０．３グラム、０．５グラムになるように対応している。そして、「５グラム」と表示する貴金属地金２として、例えば「プラチナ」であれば、横幅Ｌ２が２１．５０ミリメートル、縦幅Ｈ２が１２．７５ミリメートル、厚さが１．０５ミリメートルである。「１０グラム」と表示する貴金属地金２は、横幅Ｌ２が２５．５５ミリメートル、縦幅Ｈ２が１５．２５ミリメートル、厚さが１．４５ミリメートルである。こうして、貴金属地金２は、表示事項がケース３を介して目視可能な、所定の横幅Ｌ２と縦幅Ｈ２と厚さとを有する。
【００２１】
流通カード１のケース３の裏面３ｂには、貴金属地金２の重さの違いを異なる色によって識別してなる。例えば、貴金属地金２の重さが１グラム以下の場合は、黒色とし、貴金属地金２の重さが５グラムの場合は、赤色とし、貴金属地金２の重さが１０グラムの場合は、青色とする。逆に、貴金属地金２の重さが０．１グラム、０．２グラム、０．３グラム、０．５グラムの場合は、それぞれ黒色、赤色、青色、緑色とし、１グラム以上は無色透明にするなどとしても良い。これは、前者が、価格が高くなる方、即ち、重いものほど、ケース３の表面３ａからは、貴金属地金２の表示事項で確認でき、ケース３の裏面３ｂは、色で確認できることで、信用性が高まる、間違えにくい、という考え方により導かれる。しかし、後者が、価格が低い方、即ち、軽いものほど、ケース３の裏面３ｂの色で識別できた方が、表示事項をじっと見なくても、判別できることで、流通性が良い、という考え方により導かれる。
【００２２】
貴金属地金２の上側の位置に配されるケース３の表面３ａ側の凹部３ｅには、第１表示事項４と、第２表示事項５とがプリントされた合成樹脂フィルム３ｆが介在されてなる。表面３ａと裏面３ｂとの間は、当接した面３ｇが形成されてなり、図示しない接着剤により外れない状態に保持されてなる。第１表示事項４は、例えば、このケース３に保持された貴金属地金２が１０００分の９９９．９の純度の「金」である場合は、「ＧＯＬＤ」９９９．９と表示されてなる。第２表示事項５は、このケース３に保持された貴金属地金２を保証する企業体の名前、例えば、「ＹＯＫＯＨＡＭＡ  ＭＥＴＡＬ  ＣＯ．，ＬＴＤ」という表記と、ロゴマークなどを表示してなる。第２表示事項５としては、図１に示すように、地金の品質保証企業体の表示事項として、横浜金属であることと、神奈川県唯一の金地金流通協会正会員である事を示すために、神奈川県の形をシンボリックに示しているが、その他に何らかのメッセージ、例えば「お誕生日おめでとう」とか、メッセージ性を有する柄を加えても良いし、品質保証企業体の表示事項として、省略して示すようにしても良い。
【００２３】
従って、本実施例１によれば、流通カード１は、金、銀、プラチナ、パラジュウムの何れかである旨の貴金属地金の種類、1グラムなどその地金の実際の重さ、１０００分の９９９．９の割合などその地金中に置ける貴金属の占める純度、横浜金属などその地金の品質保証企業体の４種類の表示事項を少なくとも表示した貴金属地金２と、該貴金属地金２を表裏側から覆うと共に貴金属地金２の表面２ａから前記表示事項を目視可能なるという透明の合成樹脂体によりカード状をなすケース３とより構成されてなるので、流通カード１の読み取り装置が無くても、市場価値がある流通カード１であるか否かが貴金属地金２の４種類の表示事項を目視しただけで、例えば、図１に示す例であれば、貴金属の種類が「金」であること、「１０グラム」の重さを有すること、金の貴金属地金に占める純度が１０００分の９９９．９と大変に高いものであること、横浜金属と読めて、その地金２の品質保証企業体がどこであるかが判断できるので、著しく流通性に優れる、などの効果を奏する。また、ケース３により貴金属地金２が覆われていて、保護されているので、該地金２の変形、摩滅等を妨げることができる。
【００２４】
また、貴金属地金２の表示事項は、貴金属地金２に刻印、圧延、打ち抜きなど通常の手段、例えば薬品などでは消去不可能な手段により表示してなるため、表示事項を勝手に消去したり、変更できないので、市場での信用性がより確保できる。
【００２５】
また、ケース３が、横幅Ｌ１が８．５センチメートル、縦幅Ｈ１が５．４センチメートル、厚さが０．３乃至０．５センチメートルであるため、一般的な銀行カードと併せて持ち運びが出来るし、財布のカード入れなどへの収納性に優れる、という効果を奏する。
【００２６】
更に、１グラムの貴金属地金２が「金」であれば、横幅Ｌ２が１５．５ミリメートル、縦幅Ｈ２が９ミリメートル、厚さが０．５ミリメートルと薄いが、厚さ３ミリメートルのケース３内に収納できてコンパクトであり、変形などが生じにくい、という効果を奏する。
【００２７】
更に、５グラムの貴金属地金２が「金」であれば、横幅Ｌ２が２１．５ミリメートル、縦幅Ｈ２が１２．５ミリメートル、厚さが１．１ミリメートルと薄いが、厚さ３ミリメートルのケース３内に収納できてコンパクトであり、変形などが生じにくい、という効果を奏する。
【００２８】
更に、１０グラムの貴金属地金２が「金」であれば、横幅Ｌ２が２５．５ミリメートル、縦幅Ｈ２が１５ミリメートル、厚さが１．４ミリメートルと薄いが、厚さ３ミリメートルのケース３内に収納できてコンパクトであり、変形などが生じにくい、という効果を奏する。
【００２９】
更に、ケース３の裏面３ｂが、貴金属地金２の重さの違いを異なる色によって識別してなるため、表示事項を見なくても、色で貴金属地金２の重さを判別できるので、老人など比較的目の悪い人にも判別が簡易となって流通性が良いことになるし、外国人など非英語圏の人にも判別が簡易となって流通性が良い、という効果を奏する。
【００３０】
実施例１では、ケース３内における貴金属地金２の位置は左側に配し、第１表示事項４は、貴金属地金２の上側、第２表示事項５は、貴金属地金２の右側に配したものとして、図１に示したが、これに限定されるものでは無く、貴金属地金２の位置は右側に配し、第１表示事項４及び第２表示事項５は、貴金属地金２の左側に配したものでも良い。また、ケース３は、凹部３ｅを表面３ａ側だけでなく、裏面３ｂ側にも設けて同じ形状にすることで、大量生産すれば、原価の低減を図れる。また、ケース３の表面３ａ側と裏面３ｂ側とを薄肉ヒンジで一体に形成して二枚貝のように開閉して固定しても良い。また、ケース３の表面３ａ側と裏面３ｂ側とを接着剤による固定と説明したが、これに限定されるものでは無く、振動溶着、嵌合などでも良い。
【符号の説明】
【００３１】
１  流通カード
２  貴金属地金
３  ケース
４  第１表示事項
５  第２表示事項
【図１】
2017047596.tif 000003
【図２】
2017047596.tif 000004